(57)【特許請求の範囲】
【請求項１】
読取対象とするコード記号が存在する領域に光を照射する照射部と、
そのコード記号の画像を撮像するイメージセンサと、
該イメージセンサによって撮像して光電変換された画像信号を増幅する増幅回路と、該増幅回路によって増幅された画像信号をＡ／Ｄ変換してデジタル信号を出力するＡ／Ｄ変換器とを有する信号処理部と
を備えた撮像デバイスと、
前記撮像デバイスから出力される前記デジタル信号の情報をデコードするデコーダを設けたデコード基板と、
電源ユニット、表示器及び通信インタフェースを含む周辺機器を搭載した周辺機器基板とを有し、
前記デコード基板を前記撮像デバイスの底面に電気的に接続して配設し、前記撮像デバイスの該底面と反対側の面に前記周辺機器基板を電気的に接続して配設し、
該周辺機器基板は前記撮像デバイスの側方に張り出して延び、該周辺機器基板の前記撮像デバイスに取り付けられた面側の該撮像デバイスの側方に、追加部品を搭載できる空間部を設けたことを特徴とする光学情報読取装置モジュール。
【請求項２】
前記撮像デバイスの前記底面と反対側の面は前記周辺機器基板の全面の半分以下の面積を占めることを特徴とする請求項１記載の光学情報読取装置モジュール。
【請求項３】
読取対象とするコード記号にレーザ光を照射する光源と、
該光源が発するレーザ光を走査し、前記コード記号からの反射光を集光する走査・集光用光学系と、
該走査・集光用光学系によって集光された前記コード記号からの反射光を受光して光電変換する受光ユニットと、
該受光ユニットからの電気信号を増幅する増幅回路と、該増幅回路によって増幅された電気信号をＡ／Ｄ変換してデジタル信号を出力するＡ／Ｄ変換器とを有する信号処理部と
を備えたレーザ走査デバイスと、
該レーザ走査デバイスから出力されるデジタル信号の情報をデコードするデコーダを設けたデコード基板と、
電源ユニット、表示器及び通信インタフェースを含む周辺機器を搭載した周辺機器基板とを有し、
前記デコード基板を前記レーザ走査デバイスの底面に電気的に接続して配設し、前記レーザ走査デバイスの前記底面と反対側の面に前記周辺機器基板を電気的に接続して配設し、
該周辺機器基板は前記レーザ走査デバイスの側方に張り出して延び、該周辺機器基板の前記レーザ走査デバイスに取り付けられた面側の該レーザ走査デバイスの側方に、追加部品を搭載できる空間部を設けたことを特徴とする光学情報読取装置モジュール。
【請求項４】
前記レーザ走査デバイスの前記底面と反対側の面は前記周辺機器基板の全面の半分以下の面積を占めることを特徴とする請求項３記載の光学情報読取装置モジュール。
【請求項５】
請求項１乃至4のいずれか一項に記載の光学情報読取装置モジュールにおいて、前記周辺機器基板に搭載される通信インタフェースが、短距離無線通信インタフェースであることを特徴とする光学情報読取装置モジュール。
【請求項６】
請求項１又は２に記載の光学情報読取装置モジュールを、少なくとも一端面に光透過窓を設けた角筒状のケース本体中に挿入して設置し、前記撮像デバイスの光通路が前記光透過窓に面するようにし、前記ケース本体の他端面を背面板で蓋をするように閉じたことを特徴とする光学情報読取装置。
【請求項７】
請求項３又は４に記載の光学情報読取装置モジュールを、少なくとも一端面に光透過窓を設けた角筒状のケース本体中に挿入して設置し、前記レーザ走査デバイスの光通路が前記光透過窓に面するようにし、前記ケース本体の他端面を背面板で蓋をするように閉じたことを特徴とする光学情報読取装置。
【発明の詳細な説明】
【技術分野】
【０００１】
この発明は、物品の管理や商品の販売、精算作業などのために、物品や商品に貼付されたバーコード等のコード記号を読み取るバーコードリーダ等の光学情報読取装置の内部機器及び回路をモジュール化した光学情報読取装置モジュール及び、それを用いた光学情報読取装置に関する。
【背景技術】
【０００２】
近年、バーコード等のコード記号を光学的に読み取る光学情報読取装置は小型化および多機能性が要求されている。
したがって、光学情報読取装置の筐体は小型化されることが望ましく、そのためには、内蔵されているハードウエアの配置あるいは配線を工夫する必要がある。
そこで、そのハードウエアを構成する部材や部品を一枚の基板にほぼ一体化するということが考えられる。例えば、光源、レンズ、ミラー等の走査エンジンと、デコード回路と、通信機器等を全て一枚の基板上に配置すれば、垂直方向の高さを小さくすることができる（例えば、特許文献１参照）。
【０００３】
また、光学系、アナログ回路、デジタル回路等をそれぞれ別の基板に集約し、それら複数の基板をフレキシブルプリント基板で接続し、筐体の中に畳んで内蔵するという方法も提案されている（例えば、特許文献２参照）。
【特許文献１】特開平１１−３２６８０５号公報
【特許文献２】特開２００２−３０４５９３号公報
【発明の開示】
【発明が解決しようとする課題】
【０００４】
しかしながら、近年の光学情報読取装置はデコード回路や周辺機器等が複雑になり、デバイスが増える傾向にある。上述した前者の全構成部材を一枚の基板上に配置する構成では、デバイスが増えるごとに基板の広さを増やしていく必要がある。あるいは、基板の広さを増やさずに一定領域内でデバイスを増やしていくと、それらが近づきすぎてノイズやショートを起こす原因になるという問題があった。
【０００５】
また、上述した後者の複数の基板に集約してフレキシブルプリント基板で接続して筐体内に収納する構成では、複数の基板を筐体内に収納するときに、フレキシブルプリント基板が長すぎると収納が難しく、短すぎると折り曲げたときに断線の危険がある。
【０００６】
この発明はこのような問題を解決するためになされたものであり、上記のような問題を生じることなく、より小型で且つ拡張性のある光学情報読取装置モジュール及び光学情報読取装置を提供することを目的とする。
【課題を解決するための手段】
【０００７】
この発明による光学情報読取装置モジュールは上記の目的を達成するため、次のように構成する。
読取対象とするコード記号が存在する領域に光を照射する照射部と、そのコード記号の画像を撮像するイメージセンサと、そのイメージセンサによって撮像して光電変換された画像信号を増幅する増幅回路と増幅された画像信号をＡ／Ｄ変換してデジタル信号を出力するＡ／Ｄ変換器とを有する信号処理部とを備えた撮像デバイスと、
その撮像デバイスから出力されるデジタル信号の情報をデコードするデコーダを設けたデコード基板と、
電源ユニット、表示器及び通信インタフェースを含む周辺機器を搭載した周辺機器基板とを有する。
そして、上記デコード基板を上記撮像デバイスの底面に電気的に接続して配設し、上記撮像デバイスの底面と反対側の面に上記周辺機器基板を電気的に接続して配設し、その周辺機器基板は上記撮像デバイスの側方に張り出して延び、その周辺機器基板の撮像デバイスに取り付けられた面側の該撮像デバイスの側方に、追加部品を搭載できる空間部を設けたものである。
この場合、上記撮像デバイスの底面と反対側の面は上記周辺機器基板の全面の半分以下の面積を占めるようにするのが望ましい。
【０００８】
上記光学情報読取装置モジュールにおける撮像モジュールに代えて、レーザ走査デバイスを設けてもよい。
そのレーザ走査デバイスは、読取対象とするコード記号にレーザ光を照射する光源と、
該光源が発するレーザ光を走査し、前記コード記号からの反射光を集光する走査・集光用光学系と、その走査・集光用光学系によって集光されたコード記号からの反射光を受光して光電変換する受光ユニットと、その受光ユニットからの電気信号を増幅する増幅回路とその増幅された電気信号をＡ／Ｄ変換してデジタル信号を出力するＡ／Ｄ変換器とを有する信号処理部とを備えている。
【０００９】
この場合も、上記デコード基板を上記レーザ走査デバイスの底面に電気的に接続して配設し、上記レーザ走査デバイスの底面と反対側の面に上記周辺機器基板を電気的に接続して配設し、その周辺機器基板は上記レーザ走査デバイスの側方に張り出して延び、その周辺機器基板のレーザ走査デバイスに取り付けられた面側の該レーザ走査デバイスの側方に、追加部品を搭載できる空間部を設ける。
上記レーザ走査デバイスの底面と反対側の面は上記周辺機器基板の全面の半分以下の面積を占めるようにするのが望ましい。
【００１０】
これらの光学情報読取装置モジュールにおいて、上記周辺機器基板に搭載される通信インタフェースを、短距離無線通信インタフェースにすることができる。
また、この発明による光学情報読取装置は、上記光学情報読取装置モジュールを、少なくとも一端面に光透過窓を設けた角筒状のケース本体中に挿入して設置し、上記撮像デバイスあるいはレーザ走査デバイスの光通路が上記光透過窓に面するようにし、上記ケース本体の他端面を背面板で蓋をするように閉じたものである。
【発明の効果】
【００１１】
この発明による光学情報読取装置モジュールおよび光学情報読取装置は、小型化を実現するとともに、機能の拡張などによる部品や回路の追加、あるいはコンデンサなどの大型部品の収納も可能であり、適用機種が広がる。
【発明を実施するための最良の形態】
【００１２】
以下、この発明を実施するための最良の形態を図面に基づいて具体的に説明する。
図１及び図２は、この発明の一実施形態である光学情報読取装置モジュールを設けた光学情報読取装置の構造を示す分解斜視図である。図１は上方向から見た斜視図であり、図２は、図１の矢印Ｆ方向から見た斜視図である。
この光学情報読取装置１は、光学情報読取装置モジュール１０とそれを収納する筐体であるケース２０とからなる。その光学情報読取装置モジュール１０は、撮像デバイス１１０、デコード基板１２０、および周辺機器基板１３０を備えている。
【００１３】
撮像デバイス１１０は、読取対象とするコード記号が存在する領域に光を照射する照射部と、そのコード記号の画像を撮像するイメージセンサと、信号処理部とを備えている。その信号処理部は、後述するようにイメージセンサによって撮像して光電変換された画像信号を増幅する増幅回路と、その増幅回路によって増幅された画像信号をＡ／Ｄ変換してデジタル信号を出力するＡ／Ｄ変換器とを有する。なお、イメージセンサからの画像信号のノイズを取り除くノイズフィルタも設けるとよい。
【００１４】
デコード基板１２０には、撮像デバイス１１０から出力されるデジタル信号の情報をデコードするデコーダを設けている。
周辺機器基板１３０には、電源ユニット１３１、ＬＥＤ等による表示器１３２、および有線通信インタフェース（Ｉ／Ｆ用ドライバ）１３３を少なくとも含み、この実施形態ではトリガスイッチ１３４やブザー１３５（図３参照）なども含む周辺機器が搭載されている。
【００１５】
そして、デコード基板１２０を撮像デバイス１１０の底面（図１では下面、図２では上面）に図示していないコネクタによって直接電気的に接続して配設し、撮像デバイス１１０の底面と反対側の面（図１では上面、図２では下面）に周辺機器基板１３０を図示していないコネクタによって直接電気的に接続して配設している。この周辺機器基板１３０と撮像デバイス１１０とはねじ１５１，１５２によって一体に固着される。
この周辺機器基板１３０は撮像デバイス１１０の側方に張り出して延び、周辺機器基板１３０の撮像デバイス１１０に取り付けられた面（図１では下面）側の撮像デバイス１１０の側方に、追加部品を搭載できる空間部１４０を設けている。
【００１６】
この撮像デバイス１１０の底面と反対側の面（周辺機器基板１３０を装着する面）は、周辺機器基板１３０のそれに対向する面の全面の半分以下の面積を占めるようにするのが望ましい。それによって、周辺機器基板１３０の撮像デバイス１１０に取り付けられた面側には、撮像デバイス１１０の隣に比較的大きな空間部１４０ができる。この空間部１４０には、周辺機器基板１３０上に設置できないような大きな部品や、機能拡張などによる追加部品を配置することができる。
【００１７】
例えば、図２に明示されるように、有線通信用のインタフェースコネクタ１６１、コイル１６２及び電解コンデンサ１６３などを配置することができる。これらは、半田付け等の適宜な方法で周辺機器基板１３０に接続される。
あるいは、この光学情報読取装置モジュール１０の機能を拡張する場合に新たに必要になる部品などを配置することも可能である。
【００１８】
このように構成した光学情報読取装置モジュール１０を、図１及び図２に明示されているように、一端面に光透過窓２０１を設けた角筒状のケース本体２００内に挿入して設置し、そのケース本体２００の他端面を背面板２１０で蓋をするように閉じて、筐体であるケース２０内に収納する。この時、ねじ２２１，２２２，２２３によってケース本体２００と背面板２１０とが一体に締め付け固着される。
ケース本体２００の一端面である前面（図1では右端面）に光透過窓２０１が設けられており、ケース本体２００に収納された撮像デバイス１１０の光通路がこの光透過窓２０１に面するようになる。そして、この光透過窓２０１には、ガラス又はアクリル板等からなる透明板２０２を、ケース２０の組み立て前あるいは組み立て後に嵌め込む。このようにして、この実施形態の光学情報読取装置１が完成する。
【００１９】
トリガスイッチ１３４はケース２０の外部から操作者が押しやすいように、トリガボタン１３４ａが付いている。デザイン向上のために、ケース本体２００の上面に流体形をした透明プラスチック製のフロントパネル２３０を設置することがあるが、これは必須ではない。
図２における有線通信用のインタフェースコネクタは、ＲＳ２３２Ｃ規格のものを示しているが、これと同様の寸法でジクビー（Zigbee）やブルートゥース（Bluetooth）等の短距離無線通信インタフェースが搭載できるように設計することもできる。
【００２０】
図３は、上述したこの発明による光学情報読取装置モジュールのブロック構成図である。
上述したように、この光学情報読取装置モジュール１０は、撮像デバイス１１０、デコード基板１２０、および周辺機器基板１３０を備えている。
撮像デバイス１１０は、読取対象とするコード記号が存在する領域に光を照射する照射部１１１と、コード記号画像を撮像するイメージセンサ１１２と、信号処理部１１３とを備えている。その信号処理部１１３は、イメージセンサ１１２によって撮像した画像の電気信号を増幅する増幅回路１１４と、その増幅回路１１４によって増幅された電気信号をＡ／Ｄ変換してデジタル信号を出力するＡ／Ｄ変換器１１５とを有する。
【００２１】
この実施形態では、撮像デバイス１１０としてＣＭＯＳデバイスを使用しており、イメージセンサ１１２はＣＭＯＳイメージセンサであり、二次元コード及びバーコードの両方を読み取ることができる。
そのＣＭＯＳイメージセンサは固定撮像素子の一種であり、半導体素子の製造技術を用いて集積回路化された光電変換素子である。フォトダイオードを二次元に配列した構成であり、一度に一画面全体のイメージを光電変換することができる。
【００２２】
ＣＭＯＳデバイスの照射部１１１は、投光ＬＥＤ（発光ダイオード）とエイミングＬＥＤを備えた投光／エイミングＬＥＤ基板である。その投光ＬＥＤは、撮像状態をよくするために、読み取るべきコード記号に光を照射するためのものであり、エイミングＬＥＤは、コード記号の位置をマークするために特定の形態をした照射光を発するものである。この２種類のＬＥＤは別々に設置する場合もあれば、１つのＬＥＤで両方の役目をする場合もある。この実施形態では、両方の役目をするＬＥＤを４個備えている。
【００２３】
すなわち、その４個のＬＥＤによって読み取るべきコード記号の位置がわかるようにマークするとともに、撮像に適切な量の光をそのコード記号に照射する。イメージセンサ１１１では、露光調整とシャッタ制御を行って撮像する。その撮像した画像信号を信号処理部１１３の増幅回路１１４によって増幅し、Ａ／Ｄ変換機１１５でデジタル信号に変換してデコード基板１２０へ送る。
【００２４】
デコード基板１２０には、撮像デバイス１１０から出力されるデジタル信号の情報をデコードするデコーダを設けている。
そのデコーダは、予め設計されたＡＳＩＣ（Application Specific Integrated Circuit）１２１と２つのＳＲＡＭ（Static Random Access Memory）１２２、１２３及びＦＲＡＭ（Ferroelectric Random Access Memory）１２４から構成される。入力したデジタル画像信号はここでランレングス計算等がなされ、コード記号の情報を解析するためのデコードが行われる。
【００２５】
周辺機器基板１３０には、この実施形態では電源ユニット１３１、表示器１３２、有線通信インタフェース１３３、トリガスイッチ１３４、およびブザー１３５が周辺機器として搭載されている。電源ユニット１３１は周辺機器基板１３０自体及びデーコード基板１２０に電力を供給する。表示器１３２は緑と赤のＬＥＤからなり、この光学情報読取装置モジュール１０が作動中であること、読取が成功したこと、読取が失敗したことなどをＬＥＤの発光色や点滅状態などによって表示する。
【００２６】
ブザー１３５は、読取が成功したことを知らせたり、何らかのトラブルが起きた場合の警告のために、音を発生させる。トリガスイッチ１３４は押すことによって読取を開始するスイッチである。有線通信インタフェース１３３は、通信Ｉ／Ｆ用ドライバ及び通信用コネクタからなり、ホストコンピュータ３０と有線接続し、読み取った情報すなわちデコード基板１２０でデコードした情報を伝送する。
【００２７】
図４は、この発明による光学情報読取装置モジュールの他の実施形態を示すブロック構成図である。この図４において、図３と対応する部分には同一の符号を付してあり、それらの説明は省略する。
この実施形態において図３に示した光学情報読取装置モジュールと異なるのは、ホストコンピュータ３０との通信を有線ではなく無線で行うようにした点だけである。そのため、周辺機器基板１３０Ａには通信インタフェースとして、ジグビー、ブルートゥース、無線ＬＡＮ等の短距離無線通信インタフェース１３７を搭載している。この短距離無線通信インタフェース１３７は、ホストコンピュータ３０との情報の送受信が可能であればよく、プロトコルを限定するものではない。
【００２８】
この実施形態の場合は、図１及び図２に示した光学情報読取装置モジュール１０の周辺機器基板１３０が、図４の周辺機器基板１３０Ａに変わり、有線通信インタフェース１３３と有線通信用のインタフェースコネクタ１６１に代えて短距離無線通信インタフェース１３７が搭載されることになる。
【００２９】
図５は、この発明による光学情報読取装置モジュールのさらに他の実施形態を示すブロック構成図である。この図５においても、図３と対応する部分には同一の符号を付してあり、それらの説明は省略する。
この実施形態では、図３に示した光学情報読取装置モジュール１０における撮像デバイス１１０に代えて、レーザ走査デバイス１７０を設けている。
このレーザ走査デバイス１７０は、光源１７１、走査・集光用光学系１７２、及び受光ユニット１７３と、増幅回路１７５とＡ／Ｄ変換器１７６を有する信号処理部１７４とを備えている。この信号処理部１７４にノイズフィルタを設けてもよい。
【００３０】
光源１７１は、レーザダイオードとコリメータレンズ等からなり、レーザ光を発射するものである。走査・集光用光学系１７２は、走査ミラーと集光ミラー又は集光レンズ等によって構成されている。その走査ミラーは、電磁誘導等によりシーソ状に揺動振動されて、光源１７１から発射されるレーザ光を、読取対象であるコード記号の全域を照射できるように所定角度範囲で走査する。集光ミラー又は集光レンズは、コード記号からの反射光を集光して受光ユニット１７３に受光させるための光学素子である。
受光ユニット１７３は、走査・集光用光学系１７２によって集光された光を受光して光電変換するための受光素子が内蔵されている。
【００３１】
このレーザ走査デバイス１７０によって、例えば黒バー及び白バーから構成されるバーコード記号を読み取る。その場合、光源１７１から発射されるレーザ光は走査・集光用光学系１７２の走査ミラーによって反射されてバーコード記号に向かう。バーコード記号では、黒バー及び白バーによって反射率が異なるので反射光量が異なる。そのバーコード記号から反射された光は再び走査ミラーに入射して反射される。その反射光は集光ミラー又は集光レンズによって集光され、その殆ど全ての光が受光ユニット１７３に受光される。
受光ユニット１７３では、受光素子が受光する光の強度に応じた電気信号を出力する。その電気信号を、信号処理部１７４の増幅回路１７５で増幅し、Ａ／Ｄ変換器１７６によってデジタル信号に変換して、デコード基板１２０のデコーダへ送る。
【００３２】
デコード基板１２０のデコーダは、そのデジタル信号を解析してバーコードの情報を読み取る。この場合、扱う信号に二次元コードは含まれず、バーコードのみであるから、ＡＳＩＣ１２１の構成は図３及び図４に示した実施形態の場合よりも簡単になる。
周辺機器基板１３０の構成は図３に示した例と同じであるが、有線通信インタフェース１３３に代えて、図４の例と同様に短距離無線通信インタフェース１３７を搭載するようにしてもよい。
【００３３】
この実施形態の場合は、図１及び図２に示した光学情報読取装置モジュール１０の撮像デバイス１１０が、図５のレーザ走査デバイス１７０に変わるが、図１及び図２に示した光学情報読取装置モジュール１０とほぼ同様な構造にすることができる。
すなわち、デコード基板１２０をレーザ走査デバイス１７０の底面（図１では下面、図２では上面）に直接電気的に接続して配設し、レーザ走査デバイス１７０の底面と反対側の面（図１では上面、図２では下面）に周辺機器基板１３０を直接電気的に接続して配設する。その周辺機器基板１３０とレーザ走査デバイス１７０とをねじ１５１，１５２によって一体に固着する。
【００３４】
そして、周辺機器基板１３０はレーザ走査デバイス１７０側方に張り出して延び、周辺機器基板１３０のレーザ走査デバイス１７０に取り付けられた面側のレーザ走査デバイス１７０の側方に、追加部品を搭載できる空間部１４０を設けることになる。
その場合も、レーザ走査デバイス１７０の底面と反対側の面（周辺機器基板１３０を装着する面）は、周辺機器基板１３０のそれに対向する面の全面の半分以下の面積を占めるようにするのが望ましい。
【００３５】
〔実際の業務への適用例〕
この発明による光学情報読取装置を実際の業務に使用する場合について説明する。
例えば、内包された物品の情報を示す二次元コードなどのコード記号が添付された小包がコンベア上を搬送される際に、そのコード記号を読み取るのに使用される。
この場合、作業者が狭いスペースで光学情報読取装置（スキャナ）で小包に添付されたコード記号を読み取って検品等の作業をするので、光学情報読取装置が作業の邪魔になることがあってはならない。そのため、この発明による光学情報読取装置のような小型なものが必要である。
【００３６】
図６は、この発明による光学情報読取装置を使用した倉庫の在庫管理作業の様子を示す図である。光学情報読取装置１は作業者５０によって操作される。この光学情報読取装置１には、短距離無線通信インタフェースが搭載されており、ホストコンピュータ（この場合パソコン）３０に無線接続されている。事務員６０は、常時ではないが、ホストコンピュータ３０の操作者である。物品５はラック６に格納されている。
【００３７】
図示されていないが、物品５にはその物品５の情報を示すバーコードあるいは二次元コードなどのコード記号が添付されている。光学情報読取装置１の筐体は、手のひらに収まるほど小さいので、作業者５０は他の倉庫業務をしながら物品５の走査ができる。また、読み取った情報を無線通信でホストコンピュータ３０へ送信できるので、情報伝送のためにターミナル配置位置まで戻る必要がなく、短時間で作業ができる。
【００３８】
さらに、この発明による光学情報読取装置は、試験管を使った自動分析装置において、各試験管には個体識別の目的で添付されているコード記号を読み取るのにも使用することができる。
このような自動分析装置においては、各試験管はラックに搭載されて分析対象であるサンプルが入れられ、分析を行うサンプルをサンプルプローブによって分注される位置まで移動される。その間に各試験管に添付されたコード記号を読み取らなければならないので、狭いスペースに光学情報読取装に配置して短時間でそのコード記号を読み取る必要がある。
【００３９】
その場合の光学情報読取装置は自動分析装置の製造会社によって仕様が異なる。しかしながら、この発明による光学情報読取装置モジュールはその筐体を小さくすることができるので、どのような仕様であっても余裕を持って搭載することができる。
また、無線あるいは有線の変更が容易であり、情報伝送においても各仕様に対応することができる。
【産業上の利用可能性】
【００４０】
この発明による光学情報読取装置モジュールは、それを構成するデバイス及び基板の配置を工夫したことにより、デコード回路や周辺機器等が複雑になり、デバイスが増えたり部品の増加や拡大があっても、コンパクトな構成のままにすることができる。
そして、この発明による光学情報読取装置は、その筐体であるケースを小型にすることができるので、物品の搬送管理や商品の販売、精算作業などのために、物品や商品に貼付されたバーコードや二次元等のコード記号を読み取るスキャナ等に広範に利用できるのみならず、自動分析装置における試験管や標本に添付されたコード記号の読み取りなどにも有効に利用できる。
【図面の簡単な説明】
【００４１】
【図１】この発明の一実施形態である光学情報読取装置モジュールを設けた光学情報読取装置の構造を示す分解斜視図である。
【図２】図１の矢印Ｆ方向から見た分解斜視図である。
【図３】図１及び図２に示した光学情報読取装置モジュールのブロック構成図である。
【図４】この発明による光学情報読取装置モジュールの他の実施形態を示すブロック構成図である。
【図５】この発明による光学情報読取装置モジュールのさらに他の実施形態を示すブロック構成図である。
【図６】この発明による光学情報読取装を倉庫での在庫管理作業に使用する様子を示す図である。
【符号の説明】
【００４２】
１：光学情報読取装置    １０：光学情報読取装置モジュール    ２０：ケース（筐体
１１０：撮像デバイス    １１１：照射部    １１２：イメージセンサ    
１１３：信号処理部    １１４：増幅回路    １１５：Ａ／Ｄ変換器
１２０：デコード基板    １２１：ＡＳＩＣ    １２２，１２３：ＳＲＡＭ
１２４：ＦＲＡＭ    １３０：周辺機器基板    １３１：電源ユニット
１３２：表示器    １３３：通信インタフェース    １３４：トリガスイッチ
１３５：ブザー    １４０：空間部    １５１，１５２：ねじ
１６１：有線通信用のインタフェースコネクタ    １６２：コイル
１６３：電解コンデンサ
１７０：レーザ走査デバイス    １７１：光源    １７２：走査・集光用光学系
１７３：受光ユニット    １７４：信号処理部    １７５：増幅回路
１７６：Ａ／Ｄ変換器
２００：ケース本体    ２０１：光透過窓    ２０２：透明板
２１０：背面板    ２２１，２２２，２２３：ねじ    
【図１】
0004414392.tif 000002
【図２】
0004414392.tif 000003
【図３】
0004414392.tif 000004
【図４】
0004414392.tif 000005
【図５】
0004414392.tif 000006
【図６】
0004414392.tif 000007